(57)【要約】【課題】本開示は、表示部の視認性低下を抑制する洗濯機を提供する。【解決手段】本開示における洗濯機は、内部に洗濯槽を有する外枠と、上部カバーと、ユニットカバーと、操作表示部材、を備える。上部カバーは、洗濯槽の少なくとも一部を覆い、洗濯槽が取り付けられた方向に向かって貫通した貫通孔が設けられた載置部を有する。ユニットカバーは、少なくとも一部において透明板で構成され、前記載置部に取り付けられることで前記上部カバーとで略密閉空間を形成する。操作表示部材は、少なくとも一部が前記透明板に対応して前記ユニットカバーの内部に取り付けられる。また、上部カバーは、載置部を含まない部位に形成された通気口を有し、通気口の少なくとも上端は、前記貫通孔が存在する仮想水平面よりも鉛直上方に位置する。【選択図】図５
2019180562.tif 000002
【特許請求の範囲】
【請求項１】
内部に洗濯槽を有する外枠と、
前記外枠の上部に設けられ、前記洗濯槽の少なくとも一部を覆い、前記洗濯槽が取り付けられた方向に向かって貫通した貫通孔が設けられた載置部を有する上部カバーと、
少なくとも一部において透明板で構成され、前記載置部に取り付けられることで前記上部カバーとで略密閉空間を形成するユニットカバーと、
少なくとも一部が前記透明板に対応して前記ユニットカバーの内部に取り付けられた操作表示部材と、を備え、
前記上部カバーは、前記載置部を含まない部位に形成された通気口を有し、
前記通気口の少なくとも上端は、前記貫通孔が存在する仮想水平面よりも鉛直上方に位置する、
洗濯機。
【請求項２】
前記通気口は、前記上部カバーの背面に配設した、
請求項１に記載の洗濯機。
【請求項３】
前記ユニットカバーは、鉛直下方に延伸する係止部を有し、前記係止部が前記貫通孔に係って止められることで、前記上部カバーに取り付けられる、
請求項１または２に記載の洗濯機。
【請求項４】
前記貫通孔は、前記操作表示部材と繋がれる配線が、貫通して配設される、
請求項１または２に記載の洗濯機。
【請求項５】
前記ユニットカバーを前記上部カバーに螺子にて取り付けるための螺子用貫通孔を、前記略密閉空間の外において前記ユニットカバーに設ける、
請求項１〜４のいずれか１項に記載の洗濯機。
【請求項６】
前記上部カバーはリブを有し、前記リブには取付孔が形成され、
前記ユニットカバーは、前記取付孔の部位で前記リブに係って止められる係止部を有する、
請求項１〜５のいずれか１項に記載の洗濯機。
【請求項７】
前記ユニットカバーはリブを有し、前記リブには取付孔が形成され、
前記上部カバーは、前記取付孔の部位で前記リブに係って止められる係止部を有する、
請求項１〜５のいずれか１項に記載の洗濯機。
【請求項８】
内部に洗濯槽を有する外枠と、
前記外枠の上部に設けられ、前記洗濯槽の少なくとも一部を覆い、前記洗濯槽が取り付けられた方向に向かって貫通した貫通孔が設けられた載置部を有する上部カバーと、
鉛直下方に延伸する係止部が前記貫通孔に係って止められることで前記載置部に取り付けられ、少なくとも一部において透明板で構成され、前記上部カバーとで略密閉空間を形成するユニットカバーと、
少なくとも一部が前記透明板に対応して前記ユニットカバーの内部に取り付けられた操作表示部材と、を備え、
前記載置部の下方近傍であって、前記上部カバーで覆われた空間内に、ヒータを配設した、
洗濯乾燥機。
【発明の詳細な説明】
【技術分野】
【０００１】
本開示は、操作表示部を備えた洗濯機及び洗濯乾燥機に関する。
【背景技術】
【０００２】
特許文献１は、電気的な故障を引き起こしにくい洗濯機を開示する。この洗濯機は、洗濯槽と、洗濯槽の少なくとも一部を覆うカバー部材と、ディスプレイを搭載した操作部と、カバー部材及びディスプレイとともに略密閉空間を形成する保持カバーと、を備える。
【先行技術文献】
【特許文献】
【０００３】
【特許文献１】特開２０１５−１９２７７４号公報
【発明の概要】
【発明が解決しようとする課題】
【０００４】
本開示は、透明板で覆われた操作表示部材の視認性が低下しにくくなる洗濯機を提供する。
【課題を解決するための手段】
【０００５】
本開示の洗濯機は、内部に洗濯槽を有する外枠と、上部カバーと、ユニットカバーと、操作表示部材、を備える。上部カバーは、洗濯槽の少なくとも一部を覆い、洗濯槽が取り付けられた方向に向かって貫通した貫通孔が設けられた載置部を有する。ユニットカバーは、少なくとも一部において透明板で構成され、前記載置部に取り付けられることで前記上部カバーとで略密閉空間を形成する。操作表示部材は、少なくとも一部が前記透明板に対応して前記ユニットカバーの内部に取り付けられる。また、上部カバーは、載置部を含まない部位に形成された通気口を有し、通気口の少なくとも上端は、前記貫通孔が存在する仮想水平面よりも鉛直上方に位置する。
【発明の効果】
【０００６】
本開示における洗濯機は、貫通孔が存在する仮想水平面よりも鉛直上方に上端が位置する通気口を設けたので、水蒸気が、洗濯槽から貫通孔を抜けて略密閉空間に流入することを抑制する。そのため、電子部材ユニット内に結露が生じにくくすることができ、電子部材ユニットの視認性低下を抑制できる。
【図面の簡単な説明】
【０００７】
【図１】実施の形態１における洗濯機の概略断面図
【図２】実施の形態１における洗濯機の操作表示部周辺の部分斜視図
【図３】実施の形態１における洗濯機の操作表示部周囲の線分ＡＢにおける縦断面図
【図４】（ａ）図３における操作表示部前方（ａ）の拡大断面図（ｂ）図３における操作表示部後方（ｂ）の拡大断面図
【図５】実施の形態１における洗濯機の操作表示部周囲の線分ＣＤにおける縦断面図
【図６】図５における操作表示部前方（ｃ）の拡大断面図
【図７】洗濯機の操作表示部内の水滴を表す模式図
【図８】実施の形態２における洗濯乾燥機の概略断面図
【図９】実施の形態２における洗濯乾燥機の操作表示部周辺の斜視図
【図１０】実施の形態２における洗濯乾燥機の操作表示部周囲の上方からの平面透視図
【図１１】飽和水蒸気量と温度との関係を示すグラフ
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面及び以下の説明は、当業者が本開示を十分に理解するために提供されるのであって、これらにより特許請求の範囲に記載の主題を限定することを意図していない。
【００１０】
（実施の形態１）
以下、図１〜図７を用いて、実施の形態１を説明する。
【００１１】
［１−１．構成］
［１−１−１．洗濯機の構成］
図１は、実施の形態１における洗濯機の概略断面図である。
【００１２】
図１において、洗濯機１００は、外枠１０２と外槽１０３と内槽１０４と上部カバー１１３とを備える。上部カバー１１３は、外枠１０２を覆うように配設され、後方が前方よりも高くなるように傾斜して設けられている。上部カバー１１３には、洗濯物を投入するための投入口１１２が設けられる。外蓋１１４は、投入口１１２を覆うように開閉自在に配設されている。外枠１０２内には、サスペンションにより弾性的に外槽１０３が保持される。外槽１０３内には、内槽１０４が配設される。内槽１０４は、回転中心軸が鉛直方向となるように、回転自在に配設されている。
【００１３】
内槽１０４の内底部には、衣類を撹拌する回転翼１０５が回転自在に配設され、回転翼１０５の下方にモータ１０６が配設される。モータ１０６は、洗濯軸１０９、脱水軸１０７及びクラッチ１０８を備えており、クラッチ１０８により洗濯軸１０９と脱水軸１０７の連結を切り換え、内槽１０４又は回転翼１０５に回転力を伝達する。
【００１４】
外槽１０３の底部には、外槽１０３内の水を排水する排水弁１１１が設けられる。また、上部カバー１１３の後方には、内槽１０４に給水する給水弁１１０が設けられる。
【００１５】
制御部１１５は、外枠１０２の背面側内部に配設され、操作表示部１１６などと電気的に接続される。制御部１１５は、マイクロコンピュータを具備し、モータ１０６、クラッチ１０８、給水弁１１０、排水弁１１１などの動作を制御し、洗い、すすぎ、脱水の一連の行程を逐次制御するように構成される。
【００１６】
通気口１２３は、横方向に三列の羽板で構成されたルーバ状に形成され、上部カバー１１３の背面に配設されている。羽板は、３段で構成され、１段目及び３段目の羽板は、略垂直方向に配設され、その間の３段目の羽板は、外枠１０２の内部から外側にかけて低くなるように、傾斜して配設される。通気口１２３は、外枠１０２内部と洗濯機１００外部とを連通させる。
【００１７】
［１−１−２．操作表示部周囲の構成］
図２は、実施の形態１における洗濯機の操作表示部周辺の部分斜視図、図３は、実施の形態１における洗濯機の操作表示部周囲の線分ＡＢにおける縦断面図、図４（ａ）は、図３における操作表示部前方（ａ）の拡大断面図、図４（ｂ）は、図３における操作表示部後方（ｂ）の拡大断面図、図５は、実施の形態１における洗濯機の操作表示部周囲の線分ＣＤにおける縦断面図、図６は、図５における操作表示部前方（ｃ）の拡大断面図である
。
【００１８】
図２において、線分ＡＢと線分ＣＤを示した。
【００１９】
図２において、操作表示部１１６は、ディスプレイ１１６ｐと、操作ボタン等で構成される操作部１１６ｑと、を備える。操作表示部１１６は、外蓋１１４の後方に、前方に傾斜するように配設され、螺子締結及び爪嵌合で上部カバー１１３に固定される。ユーザは、ディスプレイ１１６ｐに表示される情報を確認しながら、操作部１１６ｑを操作して洗濯機１００の運転状況を設定する。
【００２０】
図３及び図５において、操作表示部１１６は、透明板１１７と操作表示部材１１８とユニットカバー１１９とプリント基板１２０とを備える。透明板１１７は、ユニットカバー１１９の一部として、インサート成形により形成される。透明板１１７は、ユニットカバー１１９の内部が視認可能となるように、透明プラスチックで構成されている。操作表示部材１１８は、液晶パネルで構成されている。操作表示部材１１８は、ユニットカバー１１９における透明板１１７と対向するように配設される。操作表示部材１１８の下部にはプリント基板１２０が設けられ、操作表示部材１１８に各種数字等を表示させる。
【００２１】
上部カバー１１３において、操作表示部１１６が配設される部分を載置部１２６とする。操作表示部１１６は、ユニットカバー１１９を備え、ユニットカバー１１９は載置部１２６を覆うように上部カバー１１３に固定される。載置部１２６の上部にユニットカバー１１９が配設されることで、載置部１２６の上方には取付空間１２５が形成される。取付空間１２５は、上部カバー１１３とユニットカバー１１９とで形成されており、略密閉空間となっている。なお、ユニットカバー１１９の下部には配線貫通孔（図示せず）が設けられており、配線貫通孔を通して、制御部１１５とプリント基板１２０とを電気的に繋ぐ配線が貫通して配設されている。
【００２２】
操作表示部１１６の後方部は、螺子により上部カバー１１３に固定されている。図３及び図４に示すように、ユニットカバー１１９は、上部カバー１１３の背面に向かって延伸する取付部１２７を有している。螺子用貫通孔１２４ａは取付部１２７上に鉛直方向に配設された貫通孔であって、ユニットカバー１１９と上部カバー１１３の両方を連通させる。螺子用貫通孔１２４ａには、螺子１２４ｂが止められることで、操作表示部１１６と上部カバー１１３とを固定している。また、螺子用貫通孔１２４ａは取付空間１２５の領域外に存在するため、螺子用貫通孔１２４ａの隙間から取付空間１２５内に水蒸気が流入することを防ぐことができる。
【００２３】
また、上部カバー１１３は、取付空間１２５の領域内に形成された、鉛直上向きのリブ１２１ｘを有している。リブ１２１ｘの根元は取付部１２７の屈曲部と接しており、リブ１２１ｘの側面はユニットカバー１１９の壁面と当接している。これにより、取付空間１２５内に水蒸気が入り込みにくい構造となっている。
【００２４】
操作表示部１１６の前方部は、上部カバー１１３に爪嵌合により固定されている。ここでいう爪嵌合は、一方に設けられた孔に他方に設けられた突起状の爪を掛けることで、二つの部位を固定する手段のことである。本実施の形態１及び２において、載置部１２６の前方部には二種類の爪嵌合用孔が設けられており、図３に示す線分ＡＢの断面においては爪嵌合用スライド孔が、図５に示す線分ＣＤの断面においては爪嵌合用貫通孔が用いられている。
【００２５】
図４（ａ）において、爪１２２ｂはユニットカバー１１９上に突起状に形成され、爪嵌合用スライド孔１２２ａは上部カバー１１３に形成されたリブ１２１ｙ上に設けられる。
リブ１２１ｙは鉛直上方に延伸し、爪嵌合用スライド孔１２２ａは水平面に略平行となるように設けられている。爪１２２ｂは爪嵌合用スライド孔１２２ａに嵌まって、ユニットカバー１１９と上部カバー１１３を係止する。この時、爪嵌合用スライド孔１２２ａは取付空間１２５とは連通しているものの、内槽側とは連通していない。従って、爪嵌合の隙間から水蒸気が入り込むことを防ぐことができる。なお、上記説明では、爪嵌合用スライド孔１２２ａを上部カバー１１３側に設けたが、組み合わせを逆にしても問題はなく、ユニットカバー１１９側に爪嵌合用スライド孔を設けてもよい。この場合、リブ１２１ｙから水平に延伸するように爪を設け、爪嵌合用スライド孔と嵌め合わせる。爪嵌合用スライド孔はユニットカバー上に形成されているため、洗濯槽内部と連通しない。
【００２６】
図５及び図６において、ユニットカバー１１９の前方部には、鉛直方向に貫通するように爪嵌合用貫通孔１２２ｃが配設される。図６に示すように、ユニットカバー１１９から鉛直下方に延伸する爪１２２ｄは、爪嵌合用貫通孔１２２ｃと嵌め合わせられる。爪１２２ｄは爪嵌合用貫通孔１２２ｃに嵌まって、ユニットカバー１１９と上部カバー１１３を係止する。爪嵌合用貫通孔１２２ｃは、通気口１２３の上端よりも寸法ｈだけ下方に位置するように配設する。なお、爪嵌合の代わりに螺子止めを用いてもよいが、その場合も貫通孔が通気口１２３の上端よりも寸法ｈだけ下方に位置するように配設する必要がある。
【００２７】
［１−２．動作］
以上のように構成された洗濯機１００について、その動作を以下説明する。
【００２８】
［１−２−１．洗濯機の洗濯動作］
外蓋１１４を開けて、投入口１１２より内槽１０４に衣類を投入し、洗濯運転を開始すると、洗い工程が開始される。制御部１１５は、給水弁１１０を開いて所定の水位まで給水した後、モータ１０６を駆動する。このとき、伝達機構部のクラッチ１０８によりモータ１０６の駆動力が洗濯軸１０９を介して回転翼１０５に伝達され、回転翼１０５の回転により衣類が撹拌される。所定の時間、攪拌動作が行われた後、制御部１１５は排水弁１１１を開き、汚れた洗濯液を排出させる。続いて、内槽１０４を高速回転させる脱水動作が開始される。脱水動作が開始されると、制御部１１５は、伝達機構部のクラッチ１０８を脱水側に切り換え、モータ１０６の動力が脱水軸１０７を介して内槽１０４に伝達され、内槽１０４を回転させる。これにより、遠心力で水分を衣類から分離し、脱水を行う。脱水動作が終了すると、洗い工程は終了する。
【００２９】
次に、すすぎ工程が開始されると、排水弁１１１が閉じられ、内槽１０４内に水道水が注水される。すすぎ工程でも、回転翼１０５の回転による攪拌動作が行われた後、内槽１０４内の水が排水される。続いて、脱水工程が開始される。脱水工程でも、内槽１０４を高速回転させる脱水動作が行われ、衣類の水分が取り除かれる。脱水動作の終了とともに全工程が終了となり、洗濯運転が終了する。
【００３０】
［１−２−２．操作表示部周囲の動作・作用］
図７は、洗濯機の操作表示部内の水滴を表す模式図である。
【００３１】
温水を内槽１０４に入れた場合や、給水弁１１０から給水した水の温度が環境温度より高い場合には、内槽１０４内の水が蒸発し、水蒸気が発生する。図７に示すように、透明板１１７と操作表示部材１１８の間には間隙が存在し、間隙に水蒸気が入り込むと透明部の内側で結露する。これにより、ユーザは、操作表示部１１６が白く曇っていて見えづらいと感じる。
【００３２】
水蒸気は空気よりも比重が軽いため、内槽１０４で発生した水蒸気は上部カバー１１３まで上昇する。この時、上部カバー１１３が背面に向けて高くなるように構成されている
ため、上部カバー１１３の背面上部に水蒸気が滞留しやすくなっている。しかし、上部カバー１１３の背面上部には外部と連通している通気口１２３が配設されているため、通気口１２３に達した水蒸気は外部へと放出される。従って、通気口１２３の上端を、爪嵌合用貫通孔１２２ｃや配線貫通孔よりも寸法ｈだけ高い位置に配設することで、爪嵌合用貫通孔１２２ｃや配線貫通孔から取付空間１２５へ蒸気が流入することを抑制できる。また、通気口１２３は、上部カバー１１３の背面に設けているので、洗濯機１００の近く（前または横）に立つユーザに水蒸気が掛かったりすることがなく、ユーザを不快にすることはない。
【００３３】
また、操作表示部１１６の前方部においては、爪嵌合用スライド孔１２２ａがユニットカバー上に形成されており洗濯槽側と連通していないため、取付空間１２５に水蒸気が流入しづらい構成となっている。これにより、樹脂によるシーリング等の特別な処理を施さなくても、貫通孔から水蒸気が流入することを抑制することができる。
【００３４】
また、螺子用貫通孔１２４ａは、操作表示部１１６の取付空間１２５より外に配設されており、水蒸気が流入したとしても洗濯機１００の外部に放出されるため、水蒸気が取付空間１２５内に流入しづらい構成となっている。これにより、樹脂によるシーリング等の特別な処理を施さなくても、貫通孔から水蒸気が流入することを抑制することができる。
【００３５】
［１−３．効果等］
以上のように、本実施の形態において、洗濯機１００は、内槽１０４と、上部カバー１１３と、操作表示部１１６と、操作表示部１１６の一部であるユニットカバー１１９と、を備える。上部カバー１１３は、内槽１０４が取り付けられた方向に向かって貫通した爪嵌合用貫通孔１２２ｃが設けられた載置部１２６を有し、内槽１０４の少なくとも一部を覆い、操作表示部１１６は、載置部１２６に取り付けられ、少なくとも一部において透明板１１７で覆われた操作表示部材１１８を搭載する。ユニットカバー１１９は、上部カバー１１３及び操作表示部１１６とともに取付空間１２５を形成する。また、上部カバー１１３は、載置部１２６を含まない部位に形成された通気口１２３を有し、通気口１２３の少なくとも上端は、爪嵌合用貫通孔１２２ｃが存在する仮想水平面よりも寸法ｈだけ鉛直上方に位置する。
【００３６】
これにより、洗濯機１００は、水蒸気が、洗濯槽から貫通孔を抜けて略密閉空間に流入することを抑制することができる。そのため、操作表示部１１６内に結露が生じにくくすることができ、操作表示部１１６の視認性低下を抑制できる。
【００３７】
本実施の形態のように、ユニットカバー１１９を上部カバー１１３に取り付けるための螺子用貫通孔１２４ａを、取付空間１２５の外において上部カバー１１３に設けるようにしてもよい。
【００３８】
これにより、洗濯機１００は、水蒸気が、洗濯槽から貫通孔を抜けて略密閉空間に流入することを抑制することができる。そのため、操作表示部１１６内に結露が生じにくくすることができ、操作表示部１１６の視認性低下を抑制できる。
【００３９】
本実施の形態のように、上部カバー１１３はリブを有し、リブには爪嵌合用スライド孔１２２ａが形成され、ユニットカバー１１９は、爪嵌合用スライド孔１２２ａの部位でリブに係って止められる爪を有するようにしてもよい。
【００４０】
これにより、洗濯機１００は、水蒸気が、洗濯槽から貫通孔を抜けて略密閉空間に流入することを抑制することができる。そのため、操作表示部１１６内に結露が生じにくくすることができ、操作表示部１１６の視認性低下を抑制できる。
【００４１】
また、本実施の形態とは異なるが、ユニットカバー１１９はリブを有し、リブには爪嵌合用スライド孔１２２ａが形成され、上部カバー１１３は、爪嵌合用スライド孔１２２ａの部位でリブに係って止められる爪を有するようにしてもよい。
【００４２】
これにより、洗濯機１００は、水蒸気が、洗濯槽から貫通孔を抜けて略密閉空間に流入することを抑制することができる。そのため、操作表示部１１６内に結露が生じにくくすることができ、操作表示部１１６の視認性低下を抑制できる。
【００４３】
（実施の形態２）
以下、図８〜図１１を用いて、実施の形態２を説明する。
【００４４】
［２−１．構成］
図８〜図１１は、本発明の第２の実施の形態における洗濯乾燥機を示すものである。実施の形態２の構成は、実施の形態１に衣類の乾燥機能を付加したものであるので、同一の構成には同一の符号を付して、詳細な説明は実施の形態１のものを援用する。
【００４５】
［２−１−１．全体構成］
図８は、実施の形態２における洗濯乾燥機の概略断面図、図９は、実施の形態２における洗濯乾燥機の操作表示部周辺の斜視図である。
【００４６】
図８において、洗濯乾燥機２００は、温風送風ユニット２０１と、乾燥用外槽カバー２０５と、内蓋２０９と、送風ホース２０７とを備える。
【００４７】
温風送風ユニット２０１は、送風ファン２０２と、送風モータ２０３とを備え、上部カバー１１３の後方内部である操作表示部１１６下方に配設される。
【００４８】
図９において、乾燥用外槽カバー２０５は、外槽１０３内を気密性高く覆うために、外槽１０３の上部に設けられている。乾燥用外槽カバー２０５には、内槽及び外槽の開口と対向するように開口が設けられている。内蓋２０９は、乾燥用外槽カバーの開口を覆うように、乾燥用外槽カバー２０５の上部に開閉自在に設けられる。乾燥用外槽カバー２０５には、給水を通す給水ホース２０６と、乾燥時の乾燥風を通す送風ホース２０７が連結されている。給水ホース２０６には、給水時は開き、乾燥時は閉まる逆止弁２０８が設けられ、制御部１１５により制御される。
【００４９】
［２−１−２．温風送風ユニット周囲の構成］
図１０は、実施の形態２における洗濯乾燥機の操作表示部周囲の上方からの平面透視図である。
【００５０】
図１０において、温風送風ユニット２０１は、送風ファン２０２と送風モータ２０３とヒータ２０４とで構成される。ヒータ２０４は操作表示部１１６の中心付近に配設されており、送風ファン２０２と送風モータ２０３とともに温風送風ユニットカバー（図示せず）で覆われている。透明板１１７及び操作表示部材１１８は、操作表示部１１６における中心部に位置しており、かつ温風送風ユニット２０１の一部分に重なるように配設されている。
【００５１】
［２−２．動作・作用］
［２−２―１．操作表示部周囲の動作・作用］
上記構成において、乾燥運転時の操作表示部周囲動作を説明する。
【００５２】
外蓋１１４を開けて、内槽１０４に衣類を投入し、乾燥運転を開始する。内蓋２０９は、洗濯物投入時にユーザにより開かれ、洗濯運転または乾燥運転を開始する前に、ユーザにより閉められる。内蓋２０９を閉めることで外槽１０３内は略密閉空間となるため、温風送風ユニット２０１による乾燥を効果的に行うことができる。
【００５３】
乾燥運転が開始されると、制御部１１５は、逆止弁２０８を閉めてヒータ２０４と送風モータ２０３を駆動させる。ヒータ２０４と送風モータ２０３により発生した温風は送風ファン２０２により送風され、送風ホース２０７を介して外槽１０３に到達する。到達した温風は、内槽１０４内の衣類を加熱し、衣類に含まれた水分を蒸発させる。この時、ヒータ２０４と送風モータ２０３は発熱しており、この放熱が温風送風ユニットカバーを伝導することで、温風送風ユニット２０１全体が環境温度よりも高温となっている。
【００５４】
逆止弁２０８は、水蒸気が給水ホース２０６より逆流して上部カバー１１３内に侵入することを抑制する。しかし、内槽１０４が振動する際に、逆止弁から僅かに漏れた水蒸気が上部カバー１１３内まで上昇し、操作表示部１１６の内部に水蒸気が侵入することがある。
【００５５】
図１１は、飽和水蒸気量と温度との関係を示すグラフである。
【００５６】
図１１において、飽和水蒸気量と温度の関係から、環境温度が上昇すると水蒸気の許容量が増加することが示されている。例えば、取付空間１２５内の蒸気量が５０ｇ／ｍ＾３であった場合、露点は２０℃である。つまり、取付空間１２５内の温度が２０℃となると水蒸気の一部が結露し、操作表示部材１１８上で水滴となる。ところが、取付空間１２５内の温度を２０℃から４０℃に上昇させると、飽和水蒸気量が約二倍となるため、水蒸気が結露せずに水蒸気のまま存在することができる。
【００５７】
前述の通り、乾燥運転時において温風送風ユニット２０１は高温となっているため、その近傍に位置する取付空間１２５内の空気も温められる。例えば、環境温度が２０℃であったとすると、取付空間内の気温は約２０Ｋ程度昇温する。従って、操作表示部材１１８周辺も温められるため、操作表示部材１１８周辺における水蒸気の結露を抑制することができる。
【００５８】
［２−３．効果等］
以上のように、本実施の形態において、洗濯乾燥機２００は、内槽１０４と、上部カバー１１３と、操作表示部１１６と、ユニットカバー１１９と、ヒータ２０４とを備える。上部カバー１１３は、内槽１０４が取り付けられた方向に向かって貫通した爪嵌合用貫通孔１２２ｃが設けられた載置部１２６を有し、内槽１０４の少なくとも一部を覆う。操作表示部１１６は、載置部１２６に取り付けられ、少なくとも一部において透明板１１７で覆われた操作表示部材１１８を搭載する。ヒータ２０４は、ユニットカバーと、上部カバー１１３及び操作表示部１１６とともに取付空間１２５を形成する載置部１２６の下方近傍であって、上部カバー１１３で覆われた空間内に配設される。
【００５９】
これにより、洗濯乾燥機２００は、ヒータ２０４の伝導熱により取付空間１２５内の環境温度を上昇させ、取付空間１２５内における水蒸気の許容量を増加させる。そのため、操作表示部１１６内に結露が生じにくくすることができ、操作表示部１１６の視認性低下を抑制できる。
【００６０】
（他の実施の形態）
以上のように、本出願において開示する技術の例示として、実施の形態１及び２を説明した。しかしながら、本開示における技術は、これに限定されず、変更、置き換え、付加
、省略などを行った実施の形態にも適用できる。また、上記実施の形態１及び２で説明した各構成要素を組み合わせて、新たな実施の形態とすることも可能である。
【００６１】
そこで、以下、他の実施の形態を例示する。
【００６２】
実施の形態１及び２では、洗濯機の一例として縦型洗濯機を説明した。しかし、洗濯機は、透明板で覆われた電子部材を搭載するものであればよいので、操作表示部が後方上部に配設された縦型洗濯機に限定されない。従って、操作表示部が前方に配設された縦型洗濯機を用いてもよい。また、洗濯機として二槽式洗濯機を用いてもよい。また、洗濯機能を有さない乾燥機を用いてもよい。
【００６３】
実施の形態１及び２では、通気口の一例としてルーバ状の通気口を説明した。しかし、通気口は、洗濯機の内部と外部とを連通させるものであればよいので、羽で構成されたルーバ状に限定されない。従って、通気口として単なる貫通孔を用いてもよく、複数の通気口を設けてもよい。また、通気口を、洗濯機の背面ではなく上部カバーの上面に設けてもよい。
【００６４】
実施の形態１及び２では、電子部材の一例として液晶パネルを説明した。しかし、電子部材は洗濯機の動作状況を表示するものであればよいので、液晶パネルに限定されない。従って、電子部材として、有機ＥＬパネルやＬＥＤを用いてもよい。また、電子部材による表示手法も、ドットマトリクスであってもよいし、７セグメントディスプレイであってもよい。また、透明板の一例として透明プラスチックを説明した。しかし、透明板は、透明であって外部から電子部材の表示を視認可能であればよいので、プラスチックに限定されない。従って、透明板として、ガラスを用いてもよいし、色付きの透明プラスチックを用いてもよい。
【００６５】
なお、上述の実施の形態は、本開示における技術を例示するためのものであるから、特許請求の範囲またはその均等の範囲において種々の変更、置き換え、付加、省略などを行うことができる。
【産業上の利用可能性】
【００６６】
本開示は、操作表示部において結露が発生する洗濯機に適用可能である。具体的には、縦型洗濯機、二槽式洗濯機、乾燥機などに、本開示は適用可能である。
【符号の説明】
【００６７】
１００  洗濯機
１０２  外枠
１０３  外槽（洗濯槽）
１０４  内槽（洗濯槽）
１０５  回転翼
１０６  モータ
１０７  脱水軸
１０８  クラッチ
１０９  洗濯軸
１１０  給水弁
１１１  排水弁
１１２  投入口
１１３  上部カバー
１１４  外蓋
１１５  制御部
１１６  操作表示部
１１６ｐ  ディスプレイ
１１６ｑ  操作部
１１７  透明板
１１８  操作表示部材
１１９  ユニットカバー
１２０  プリント基板
１２１ｘ  リブ
１２１ｙ  リブ
１２２ａ  爪嵌合用スライド孔（取付孔）
１２２ｂ  爪（係止部）
１２２ｃ  爪嵌合用貫通孔（貫通孔）
１２２ｄ  爪（係止部）
１２３  通気口
１２４ａ  螺子用貫通孔
１２４ｂ  螺子
１２５  取付空間
１２６  載置部
１２７  取付部
２００  洗濯乾燥機
２０１  温風送風ユニット
２０２  送風ファン
２０３  送風モータ
２０４  ヒータ
２０５  乾燥用外槽カバー
２０６  給水ホース
２０７  送風ホース
２０８  逆止弁
２０９  内蓋
【図１】
2019180562.tif 000003
【図２】
2019180562.tif 000004
【図３】
2019180562.tif 000005
【図４】
2019180562.tif 000006
【図５】
2019180562.tif 000007
【図６】
2019180562.tif 000008
【図７】
2019180562.tif 000009
【図８】
2019180562.tif 000010
【図９】
2019180562.tif 000011
【図１０】
2019180562.tif 000012
【図１１】
2019180562.tif 000013